(57)【要約】【課題】既存の業務プロセス・作業負荷・作業パフォーマンスを変更または低下させてしまうような影響を及ぼすことなく、計測対象システムからデータを取得する。【解決手段】信号変換器１２が、計測対象システムから計測したラインデータを含む処理結果画面を示す映像信号ＳＶ１をＡ／Ｄ変換し、得られた映像データＤＶを出力し、データ抽出装置１３が、映像データＤＶを画像認識処理することによりラインデータを抽出し、得られたラインデータを通信ネットワークＮＷを介して管理システム５０へ送信する。【選択図】  図１
2019191726.tif 000002
【特許請求の範囲】
【請求項１】
計測対象システムから計測したラインデータを含む処理結果画面を示す第１の映像信号をＡ／Ｄ変換し、得られた映像データを出力する信号変換器と、
前記映像データを画像認識処理することにより前記ラインデータを抽出し、得られた前記ラインデータを通信ネットワークを介して管理システムへ送信するデータ抽出装置と
を備えることを特徴とするデータ取得システム。
【請求項２】
請求項１に記載のデータ取得システムにおいて、
前記データ抽出装置は、
前記映像データを画像認識処理することにより前記ラインデータを抽出し、記憶部に保存するラインデータ抽出部と、
前記記憶部に保存された複数のラインデータを読み出して１つにまとめて前記管理システムへ送信する通信処理部と
を備えることを特徴とするデータ取得システム。
【請求項３】
請求項１または請求項２に記載のデータ取得システムにおいて、
前記信号変換器は、
前記第１の映像信号に含まれる色別のアナログ映像信号を画素ごとにサンプリングして出力するサンプリング回路と、
前記サンプリング回路で得られたサンプリング出力を各画素の輝度データにＡ／Ｄ変換して出力するＡ／Ｄ変換回路と、
前記Ａ／Ｄ変換回路で得られた輝度データから１つの測定結果画面を示す前記映像データを生成して出力する映像データ生成回路と
を備えることを特徴とするデータ取得システム。
【請求項４】
請求項１〜請求項３のいずれかに記載のデータ取得システムにおいて、
前記計測対象システムに設けられたデータ処理システムと接続されて、前記データ処理システムのデータ処理装置から出力された、前記データ処理装置で計測した前記ラインデータを画面表示するための元の映像信号を２つに分離し、一方を前記第１の映像信号として前記信号変換器へ出力し、他方を第２の映像信号として前記データ処理システムの画面表示装置へ出力する信号分離器をさらに備えることを特徴とするデータ取得システム。
【請求項５】
請求項４に記載のデータ取得システムにおいて、
前記信号分離器は、前記元の映像信号を前記第１および第２の映像信号に並行して分配する信号分配器からなることを特徴とするデータ取得システム。
【請求項６】
請求項４に記載のデータ取得システムにおいて、
前記信号分離器は、前記元の映像信号を前記第１または第２の映像信号に時分割で切替出力する信号切替器からなることを特徴とするデータ取得システム。
【請求項７】
信号変換器が、計測対象システムから計測したラインデータを含む測定結果画面を示す第１の映像信号をＡ／Ｄ変換し、得られた映像データを出力する信号変換ステップと、
データ抽出装置が、前記映像データを画像認識処理することにより前記ラインデータを抽出し、得られた前記ラインデータを通信ネットワークを介して管理システムへ送信するデータ抽出ステップと
を備えることを特徴とするデータ取得方法。
【発明の詳細な説明】
【技術分野】
【０００１】
本発明は、計測対象システムから計測したラインデータを取得するためのデータ取得技術に関する。
【背景技術】
【０００２】
生産工場には、各ラインにおいて、業務に合った製造・管理・支援を行う各種のデータ処理システムが導入されている。近年、工場全体の最適化を図ることを目的として、これらシステムを通信ネットワークを介して接続して、稼働しているラインの各種システム内に存在しているラインデータを包括的に収集し、かつ一元的に管理する動きが見られる。
【０００３】
しかし、これらのシステムのうち、旧式かつリプレース等が困難なシステムは、セキュリティ上の配慮から、ラインデータをやり取りするための通信ネットワークに接続されない状態に置かれることになる。例えば、セキュリティに関するサポート期限の切れたＯＳ（例：ＷｉｎｄｏｗｓＸＰ：登録商標）のＰＣ上で稼働する旧式のシステムについては、異なる外部ネットワークを介したデータ取得や、ＵＳＢ等の記録媒体を利用したデータ取得が行われている。
【０００４】
これら旧式システムについては、マルウェア等のウイルス感染の危険性から、セキュリティに関する企業ポリシーに基づいて通信ネットワークから切り離すとともに、記録媒体の接続を禁止した状態で、長期のシステム運用を実施するということになる。
また、製造における機能特化された専用機に代表されるシステムには、そもそも外部へデータを移動するための接続装置を装備していないシステムも存在する。
【０００５】
生産工場では、このような、通信ネットワークから切り離されているスタンドアローン・システムが少なからず存在しているため、各種システムから包括的にラインデータを収集することが困難である。このため、計測対象システムの稼働ラインに設置されている各種システムからラインデータを包括的に収集して一元的に管理するという前提条件が成立しない状況では、工場全体の最適化を図ることは難しい。
【先行技術文献】
【特許文献】
【０００６】
【特許文献１】特開２００１−２２４５５７号公報
【発明の概要】
【発明が解決しようとする課題】
【０００７】
従来、このようなスタンドアローン・システムである計測器から、計測データを収集・蓄積する技術の１つとして、カメラを用いて計測器自体の画面表示部から画像情報を収集し、これら画像情報を画像認識技術により解析することにより、計測器からの計測データの収集を可能とする技術が提案されている（例えば、特許文献１など参照）。
このような従来技術は、計測器自体の画面表示部の画像を一定距離だけ離れたカメラで撮像する点に特徴がある。カメラで得られた画像情報から、計測データを示す文字・数値を抽出することで、計測器と直接データ通信を行うことなく、間接的に計測データを取得でき、計測器とデータ収集用コンビュータの両方で通信のためのハードウェアを省くことに成功している。
【０００８】
しかしながら、上記従来技術では、ライン設計時には想定していなかった新規装置（カメラ）を追加設置することが要件となっている。このため、現場の計測器の表示データ部の画面を確認する業務の障害となり、作業員に対する作業負担が増加する。また、画像認識精度を維持するためカメラ位置調整等の保守作業を定期的に実施する必要があるため、作業員に対する作業負担が追加的に発生する。したがって、上記従来技術によれば、既存の業務プロセスおよび作業負荷を変更することなく、稼働しているラインの各種システム内に存在しているデータを包括的に収集することができないという課題が存在する。
【０００９】
また、上記従来技術は、既存のシステム構成に新規装置を追加する方式であるが、生産工場では何年かに１回というタイミングで既存のシステム全体をリプレースする場合がある。このようなケースの場合、新たな包括的システムを導入しデータ見える化への取り組みを実施する過程で、各種システムから包括的にデータを収集することが可能となる。しかし、システム全体をリプレースすると、「工場ラインを停止する」、「作業員の慣れ親しんだ作業内容が変化しミスが増加する」等のリスクが顕在化する場合がある。したがって、上記従来技術によれば、従来の作業パフォーマンスを維持したまま、稼働しているラインの各種システム内に存在しているデータを包括的に収集することができないという課題が存在する。
【００１０】
本発明はこのような課題を解決するためのものであり、既存の業務プロセス・作業負荷・作業パフォーマンスを変更または低下させてしまうような影響を及ぼすことなく、計測対象システムからデータを取得できるデータ取得技術を提供することを目的としている。
【課題を解決するための手段】
【００１１】
このような目的を達成するために、本発明にかかるデータ取得システムは、計測対象システムから計測したラインデータを含む処理結果画面を示す第１の映像信号をＡ／Ｄ変換し、得られた映像データを出力する信号変換器と、前記映像データを画像認識処理することにより前記ラインデータを抽出し、得られた前記ラインデータを通信ネットワークを介して管理システムへ送信するデータ抽出装置とを備えている。
【００１２】
また、本発明にかかる上記データ取得システムの一構成例は、前記データ抽出装置が、前記映像データを画像認識処理することにより前記ラインデータを抽出し、記憶部に保存するラインデータ抽出部と、前記記憶部に保存された複数のラインデータを読み出して１つにまとめて前記管理システムへ送信する通信処理部とを備えている。
【００１３】
また、本発明にかかる上記データ取得システムの一構成例は、前記信号変換器が、前記第１の映像信号に含まれる色別のアナログ映像信号を画素ごとにサンプリングして出力するサンプリング回路と、前記サンプリング回路で得られたサンプリング出力を各画素の輝度データにＡ／Ｄ変換して出力するＡ／Ｄ変換回路と、前記Ａ／Ｄ変換回路で得られた輝度データから１つの測定結果画面を示す前記映像データを生成して出力する映像データ生成回路とを備えている。
【００１４】
また、本発明にかかる上記データ取得システムの一構成例は、前記計測対象システムに設けられたデータ処理システムと接続されて、前記データ処理システムのデータ処理装置から出力された、前記データ処理装置で計測した前記ラインデータを画面表示するための元の映像信号を２つに分離し、一方を前記第１の映像信号として前記信号変換器へ出力し、他方を第２の映像信号として前記データ処理システムの画面表示装置へ出力する信号分離器をさらに備えている。
【００１５】
また、本発明にかかる上記データ取得システムの一構成例は、前記信号分離器が、前記元の映像信号を前記第１および第２の映像信号に並行して分配する信号分配器からなるものである。
【００１６】
また、本発明にかかる上記データ取得システムの一構成例は、前記信号分離器が、前記元の映像信号を前記第１または第２の映像信号に時分割で切替出力する信号切替器からなるものである。
【００１７】
また、本発明にかかるデータ取得方法は、信号変換器が、計測対象システムから計測したラインデータを含む測定結果画面を示す第１の映像信号をＡ／Ｄ変換し、得られた映像データを出力する信号変換ステップと、データ抽出装置が、前記映像データを画像認識処理することにより前記ラインデータを抽出し、得られた前記ラインデータを通信ネットワークを介して管理システムへ送信するデータ抽出ステップとを備えている。
【発明の効果】
【００１８】
本発明によれば、データ処理システムにおける、既存の業務プロセス・作業負荷・作業パフォーマンスを変更または低下させてしまうような影響を及ぼすことなく、また大きな作業負担を必要とすることなく、計測対象システムからラインデータを取得することが可能となる。このため、管理システムで各種のラインデータを一元管理するための通信ネットワークから切り離されたスタンドアローン・システムであるデータ処理システムから、計測対象システムのラインデータを容易に取得して管理システムで一元管理することができ、結果として、工場全体の最適化を図ることが可能となる。
【図面の簡単な説明】
【００１９】
【図１】データ取得システムの構成を示すブロック図である。
【図２】信号変換器の構成を示すブロック図である。
【図３】データ取得処理を示すシーケンス図である。
【図４】映像信号の一例である。
【図５】映像データの一例である。
【図６】ラインデータの記憶例である。
【発明を実施するための形態】
【００２０】
［発明の原理］
生産工場などの計測対象システムの稼働ラインに導入されているデータ処理システムのうち、通信ネットワークから切り離されているスタンドアローン・システムは、ほとんどの場合、ＰＣなどのデータ処理装置と、ＣＲＴやＬＣＤなどの画面表示装置とを備えている。そして、データ処理装置によって計測したラインデータや検査結果などを画面表示装置で画面表示するため、ラインデータや検査結果を示す処理結果画面がデータ処理装置により映像信号に変換されて、表示装置へ出力される。
【００２１】
この際、映像信号は、ＶＧＡ（Video Graphics Array）、ＤＶＩ（Digital Visual Interface）、ＨＤＭＩ（High-Definition Multimedia Interface：登録商標）などの技術規格に沿ったものであり、画像データに変換可能である。また、これら映像信号は、各画素の色情報が重畳された輝度信号や同期信号から構成されており、十分なセキュリティ性が維持されている。さらに、これら映像信号は、比較的小さな回路規模の信号分離器で容易に分離することができるとともに、映像ケーブルを介してデータ処理装置から画面表示装置へ出力されるため、その途中に容易に信号分離器を接続することもできる。
【００２２】
本発明は、スタンドアローン・システムのデータ処理装置から画面表示装置へ出力される映像信号に関する、このような技術的な特徴に着眼し、スタンドアローン・システムのデータ処理装置から表示装置へ出力される映像信号から、データ処理装置で得られた所望のラインデータを抽出するようにしたものである。
【００２３】
次に、本発明の一実施の形態について図面を参照して説明する。
［データ取得システム］
まず、図１を参照して、本実施の形態にかかるデータ取得システム１０について説明する。図１は、データ取得システムの構成を示すブロック図である。
【００２４】
このデータ取得システム１０は、生産工場などの計測対象システムの稼働ラインに設置されているデータ処理システム２０と接続されて、データ処理システム２０を構成するＰＣなどのデータ処理装置２１からＣＲＴやＬＣＤなどの画面表示装置２２へ出力される元の映像信号ＳＶ０から、データ処理システム２０で得られた、各種のラインデータを取得する機能を有している。
【００２５】
データ処理システム２０は、データ処理装置２１と画面表示装置２２とから構成されている。
以下では、データ処理システム２０が、各種のラインデータを一元管理するための通信ネットワークＮＷから切り離されているスタンドアローン・システムである場合を例として説明する。
【００２６】
データ処理装置２１は、ＰＣなどの情報処理装置からなり、対象となるラインに設置されている特定の設備機器３０での処理作業をセンサやカメラで検出し、得られた検出データから処理作業に関するラインデータを取得する機能と、取得したラインデータをデータ処理することにより処理作業の結果を検査する機能と、ラインデータや検査結果を示す処理結果画面の映像信号ＳＶ０を生成して出力する機能とを有している。
画面表示装置２２は、ＣＲＴやＬＣＤなどのモニタ装置からなり、入力された映像信号ＳＶ１を画面表示する機能を有している。
【００２７】
コントローラ４０は、例えば産業用コントローラなどの制御装置からなり、特定の設備機器３０での処理作業をセンサやカメラで検出し、得られた検出データから処理作業に関するラインデータを取得する機能と、取得したラインデータを通信ネットワークＮＷを介して管理システム５０へ送信する機能とを有している。
管理システム５０は、例えばサーバ装置などの情報処理装置からなり、各コントローラ４０から通知されたラインデータに基づいて、対象となるラインでの各種処理作業を監視・制御する機能を有している。
【００２８】
次に、図１を参照して、本実施の形態にかかるデータ取得システム１０の構成について詳細に説明する。
データ取得システム１０は、主な装置として、信号分離器１１、信号変換器１２、およびデータ抽出装置１３を備えている。
【００２９】
信号分離器１１は、一般的な信号処理装置からなり、データ処理システム２０のデータ処理装置２１から出力された元の映像信号ＳＶ０を２つの映像信号（第１の映像信号）ＳＶ１と映像信号（第２の映像信号）ＳＶ２に分離する機能と、このうちＳＶ１を信号変換器１２へ出力し、ＳＶ２をデータ処理システム２０の画面表示装置２２へ出力する機能とを有している。なお、データ処理システム２０に既存の信号分離器が備えられているのであれば、データ取得システム１０に信号分離器１１を設ける必要はなく、既存の信号分離器を利用すればよい。
【００３０】
信号変換器１２は、信号分離器１１から出力された、例えばＶＧＡ規格の映像信号ＳＶ１をＡ／Ｄ変換し、得られた映像データＤＶを出力する機能を有している。
図２は、信号変換器の構成を示すブロック図である。信号変換器１２は、主な回路部として、サンプリング回路１２Ａ、Ａ／Ｄ変換回路１２Ｂ、および映像データ生成回路１２Ｃを備えている。
【００３１】
サンプリング回路１２Ａは、入力された映像信号ＳＶ１に含まれる色別のアナログ映像信号を画素ごとにサンプリングして出力する回路である。
Ａ／Ｄ変換回路１２Ｂは、サンプリング回路１２Ａで得られたサンプリング出力を各画素の輝度データにＡ／Ｄ変換して出力する回路である。
映像データ生成回路１２Ｃは、Ａ／Ｄ変換回路１２Ｂで得られた輝度データから、一般的な公知の映像データＤＶを生成して出力する回路である。
【００３２】
映像データＤＶについては、映像信号ＳＶ１に含まれるフレーム画面ごとの静止画像データであってもよく、一連の動画データであってもよい。図２に示すように、信号変換器１２では、データ抽出装置１３や他の外部装置（図示せず）からの生成タイミング信号Ｓ１に則して、映像信号ＳＶ１から映像データＤＶへの変換処理が行われる。
【００３３】
なお、信号分離器１１は、映像信号ＳＶ０を２つの映像信号ＳＶ１，ＳＶ２に並行して分配する信号分配器で構成してもよく、映像信号ＳＶ１，ＳＶ２のいずれか一方に時分割で切替出力する信号切替器で構成してもよい。信号切替器の場合には、図２に示すように、データ抽出装置１３や他の外部装置（図示せず）からの切替タイミング信号Ｓ２に則して、映像信号ＳＶ１または映像信号ＳＶ２への切替処理を行えばよい。この際には、切替タイミング信号Ｓ２に則して生成タイミング信号Ｓ１が出力されることになる。
【００３４】
データ抽出装置１３は、例えばＵＳＢ（Universal Serial Bus）などの通信回線を介して信号変換器１２と接続されて、信号変換器１２からの映像データＤＶを受信して画像認識処理することにより、映像データＤＶの各処理結果画面からラインデータを抽出し、データファイルとして出力する機能を有している。
【００３５】
データ抽出装置１３は、主な機能部として、ラインデータ抽出部１３Ａ、記憶部１３Ｂ、および通信処理部１３Ｃを備えている。このうち、ラインデータ抽出部１３Ａと通信処理部１３Ｃは、ＣＰＵとプログラムとが協働する演算処理部から構成されている。
【００３６】
ラインデータ抽出部１３Ａは、学習などにより事前に構築した画像認識モデルに基づいて、入力された映像データＤＶに含まれる処理結果画面を画像認識処理する機能と、得られた認識結果から、処理結果画面に含まれている、文字や記号などのキャラクタから構成されるラインデータを抽出する機能を備えている。
【００３７】
記憶部１３Ｂは、半導体メモリなどの記憶装置からなり、ラインデータ抽出部１３Ａで抽出されたラインデータを一時保存する機能を有している。
通信処理部１３Ｃは、記憶部１３Ｂに一時保存されている複数のラインデータを、例えば公知のファイル形式のデータファイルなどに１つにまとめて、通信ネットワークＮＷを介して管理システム５０へ送信する機能を有している。
【００３８】
［本実施の形態の動作］
次に、図３を参照して、本実施の形態にかかるデータ取得システム１０の動作について説明する。図３は、データ取得処理を示すシーケンス図である。
データ取得システム１０は、データ処理システム２０からラインデータを取得する際、図３のデータ取得処理を実行する。
【００３９】
まず、信号変換器１２は、信号分離器１１から出力された映像信号ＳＶ２に含まれる色別のアナログ映像信号を、サンプリング回路１２Ａで画素ごとにサンプリングし（ステップＳ１００）、得られたサンプリング出力を、Ａ／Ｄ変換回路１２Ｂで各画素の輝度データにＡ／Ｄ変換し（ステップＳ１０１）、得られた輝度データから、映像データ生成回路１２Ｃで映像データＤＶを生成する（ステップＳ１０２）。
【００４０】
続いて、データ抽出装置１３は、ラインデータ抽出部１３Ａにより、信号変換器１２からの映像データＤＶに含まれる処理結果画面を画像認識処理し（ステップＳ１０３）、得られた認識結果から、処理結果画面に含まれているラインデータを抽出し（ステップＳ１０４）、得られたラインデータを記憶部１３Ｂに一時保存する（ステップＳ１０５）。
【００４１】
この後、データ抽出装置１３は、通信処理部１３Ｃにより、記憶部１３Ｂから複数のラインデータを読み出して１つにまとめて（ステップＳ１０６）、通信ネットワークＮＷを介して管理システム５０へ送信する（ステップＳ１０７）。
【００４２】
［動作例］
次に、本実施の形態にかかるデータ取得システム１０の動作例について説明する。ここでは、あるラインの電極溶接工程における電極間隔を検査するスタンドアローンのデータ処理システム２０から、電極間隔の測定結果をラインデータとして取得する場合を例として説明する。
【００４３】
図４は、映像信号の一例である。データ処理システム２０のデータ処理装置２１は、電極溶接工程をカメラで撮像し、得られた画像から予め設定されている各測定場所における溶接した電極間の距離を計測し、計測結果を示す数値を図４に示した映像信号ＳＶ０で出力する。
【００４４】
この映像信号ＳＶ０は、データ取得システム１０に入力されて、信号分離器１１で映像信号ＳＶ２に分離され、信号変換器１２で映像データＤＶに変換される。図５は、映像データの一例である。
データ取得システム１０のデータ抽出装置１３は、入力された映像データＤＶを、順次、画像認識処理し、映像データＤＶの各処理結果画面からラインデータを抽出する。
【００４５】
例えば、図５の例では、映像データＤＶにおける「測定場所１」の測定結果「０．３９５」が、数字「０３９５」として認識されている。同じく「測定場所２」〜「測定場所６」の測定結果「０．４０９」、「０．３９９」、「０．４０３」、「０．４００」、「０．４０３」が、文字列「０４０９」、「０３９９」、「０４０３」、「０４００」、「０４０３」として認識されている。
【００４６】
図６は、ラインデータの記憶例である。データ抽出装置１３は、時刻「２０１８／０１／１２  １１：３２：３２．１７」に、図５の映像データＤＶを画像認識して得られた「測定場所１」の文字列「０３９５」を記憶部１３Ｂに一時保存し、これ以降、「測定場所２」〜「測定場所５」の文字列「０４０９」、「０３９９」、「０４０３」、「０４００」を「測定場所１」の文字列「０３９５」に順次連結して、図６に示すように保存する。
【００４７】
その後、「測定場所６」の文字列「０４０３」が得られて、「測定場所１」〜「測定場所６」の測定結果がすべて認識できた時刻「２０１８／０１／１２  １１：３２：４４．１３５」に、連結文字列「０３９５０４０９０３９９０４０３０４０００４０３」が、４桁ごとに１つの測定場所のラインデータを示す、一連の数値に変換された後、複数のラインデータが１つデータファイルに格納される。
【００４８】
［本実施の形態の効果］
このように、本実施の形態は、信号変換器１２が、計測対象システムから計測したラインデータを含む処理結果画面を示す映像信号ＳＶ１をＡ／Ｄ変換し、得られた映像データＤＶを出力し、データ抽出装置１３が、映像データＤＶを画像認識処理することによりラインデータを抽出し、得られたラインデータを通信ネットワークＮＷを介して管理システム５０へ送信するようにしたものである。
【００４９】
この際、映像信号ＳＶ１として、通信ネットワークＮＷから切り離されたスタンドアローン・システムであるデータ処理システム２０において、データ処理装置２１から画面表示装置２２へ出力される、処理結果画面に関する映像信号ＳＶ０を分離して用いることができる。また、映像信号ＳＶ０は、比較的小さな回路規模の信号分離器１１で容易に分離することができるとともに、映像ケーブルを介してデータ処理装置２１から画面表示装置２２へ出力されるため、その途中に信号分離器１１を容易に接続することもできる。
【００５０】
したがって、データ処理システム２０における、既存の業務プロセス・作業負荷・作業パフォーマンスを変更または低下させてしまうような影響を及ぼすことなく、また大きな作業負担を必要とすることなく、計測対象システムからラインデータを取得することが可能となる。このため、管理システム５０で各種のラインデータを一元管理するための通信ネットワークＮＷから切り離されたスタンドアローン・システムであるデータ処理システム２０から、計測対象システムのラインデータを容易に取得して管理システム５０で一元管理することができ、結果として、工場全体の最適化を図ることが可能となる。
【００５１】
また、本実施の形態において、データ抽出装置１３で、ラインデータ抽出部１３Ａが映像データＤＶを画像認識処理することによりラインデータを抽出して記憶部１３Ｂに保存し、通信処理部１３Ｃが、記憶部１３Ｂに保存された複数のラインデータを読み出して１つのデータファイルに格納して管理システム５０へ送信してもよい。
これにより、一定間隔で入力される映像データＤＶからラインデータを順次抽出できるとともに、一旦記憶部１３Ｂに保存された複数のラインデータが１つのデータファイルに格納されて効率よく管理システム５０へ送信することができる。
【００５２】
また、本実施の形態において、信号変換器１２で、サンプリング回路１２Ａが映像信号ＳＶ１に含まれる色別のアナログ映像信号を画素ごとにサンプリングして出力し、Ａ／Ｄ変換回路１２Ｂが、サンプリング回路１２Ａで得られたサンプリング出力を各画素の輝度データにＡ／Ｄ変換して出力し、映像データ生成回路１２Ｃが、Ａ／Ｄ変換回路１２Ｂで得られた輝度データから１つの測定結果画面を示す映像データＤＶを生成して出力するようにしてもよい。
これにより、一定間隔で入力される映像信号ＳＶ１を、データ抽出装置１３で画像認識処理可能な映像データＤＶへ、順次効率よく変換することが可能となる。
【００５３】
また、本実施の形態において、信号分離器１１が、計測対象システムに設けられたデータ処理システム２０と接続し、データ処理システム２０のデータ処理装置２１から出力された、データ処理装置２１で計測したラインデータを画面表示するための元の映像信号ＳＶ０を２つに分離し、一方を映像信号ＳＶ１として信号変換器１２へ出力し、他方を映像信号ＳＶ２としてデータ処理システム２０の画面表示装置２２へ出力するようにしてもよい。
【００５４】
また、本実施の形態において、信号分離器１１として、元の映像信号ＳＶ０を映像信号ＳＶ１，ＳＶ２に並行して分配する信号分配器を用いてもよく、元の映像信号ＳＶ０を映像信号ＳＶ１，ＳＶ２に時分割で切替出力する信号切替器を用いてもよい。
これにより、簡素な回路構成でデータ処理システム２０に影響を与えることなく、元の映像信号ＳＶ０からラインデータの取得に用いる映像信号ＳＶ１を分離することが可能となる。
【００５５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。なお、上述では、生産工場の稼働ラインに設けられたデータ処理システムに本発明を適用した場合を例として説明したが、これに限定されるものではない。例えば、病院で利用されているスタンドアローン接続の分析機器や、ビル空調の制御・監視システムにおけるスタンドアローン・システムに対しても、前述と同様にして本発明を適用可能である。
【符号の説明】
【００５６】
１０…データ取得システム、１１…信号分離器、１２…信号変換器、１２Ａ…サンプリング回路、１２Ｂ…Ａ／Ｄ変換回路、１２Ｃ…映像データ生成回路、１３…データ抽出装置、１３Ａ…ラインデータ抽出部、１３Ｂ…記憶部、１３Ｃ…通信処理部、２０…データ処理システム、２１…データ処理装置、２２…画面表示装置、３０…設備機器、４０…コントローラ、５０…管理システム、ＮＷ…通信ネットワーク、ＳＶ０，ＳＶ１，ＳＶ２…映像信号、ＤＶ…映像データ。
【図１】
2019191726.tif 000003
【図２】
2019191726.tif 000004
【図３】
2019191726.tif 000005
【図４】
2019191726.tif 000006
【図５】
2019191726.tif 000007
【図６】
2019191726.tif 000008